(57)【特許請求の範囲】
【請求項１】
ディスクに記録されている画像を水平方向にシフトすることにより得られる２枚の画像のうちの一方を左目用の画像とし、他方を右目用の画像として出力するモードである１プレーンオフセットモードでのBD-Jオブジェクトの３Ｄ再生が可能であるかどうかを表す１プレーンオフセット能力フラグと、ディスクに記録されている左目用の画像と右目用の画像をそのまま出力するモードである２プレーンモードでのBD-Jオブジェクトの３Ｄ再生が可能であるかどうかを表す２プレーン能力フラグを記憶する記憶手段と、
前記記憶手段に記憶されている前記１プレーンオフセット能力フラグと前記２プレーン能力フラグとに基づいて、BD-Jオブジェクトの３Ｄ再生時の再生モードを設定する設定手段と
を備える再生装置。
【請求項２】
前記ディスクは、BD-ROM（Blu-Ray Disc Read Only Memory）であり、
前記記憶手段は、PSR（Player Setting Register）である
請求項１に記載の再生装置。
【請求項３】
前記１プレーンオフセット能力フラグと前記２プレーン能力フラグは、前記PSRの異なる領域に記憶される
請求項２に記載の再生装置。
【請求項４】
前記設定手段は、前記２プレーン能力フラグが前記２プレーンモードでのBD-Jオブジェクトの３Ｄ再生が可能であることを表す場合、BD-Jオブジェクトの３Ｄ再生時の再生モードを前記２プレーンモードに設定し、前記２プレーン能力フラグが前記２プレーンモードでのBD-Jオブジェクトの３Ｄ再生が可能ではないことを表し、かつ、前記１プレーンオフセット能力フラグが前記１プレーンオフセットモードでのBD-Jオブジェクトの３Ｄ再生が可能であることを表す場合、BD-Jオブジェクトの３Ｄ再生時の再生モードを前記１プレーンオフセットモードに設定する
請求項１に記載の再生装置。
【請求項５】
ディスクに記録されている画像を水平方向にシフトすることにより得られる２枚の画像のうちの一方を左目用の画像とし、他方を右目用の画像として出力するモードである１プレーンオフセットモードでのBD-Jオブジェクトの３Ｄ再生が可能であるかどうかを表す１プレーンオフセット能力フラグと、ディスクに記録されている左目用の画像と右目用の画像をそのまま出力するモードである２プレーンモードでのBD-Jオブジェクトの３Ｄ再生が可能であるかどうかを表す２プレーン能力フラグを記憶する記憶手段を備える再生装置が、
前記記憶手段に記憶されている前記１プレーンオフセット能力フラグと前記２プレーン能力フラグとに基づいて、BD-Jオブジェクトの３Ｄ再生時の再生モードを設定する設定ステップ
を含む再生方法。
【請求項６】
ディスクに記録されている画像を水平方向にシフトすることにより得られる２枚の画像のうちの一方を左目用の画像とし、他方を右目用の画像として出力するモードである１プレーンオフセットモードでのBD-Jオブジェクトの３Ｄ再生が可能であるかどうかを表す１プレーンオフセット能力フラグと、ディスクに記録されている左目用の画像と右目用の画像をそのまま出力するモードである２プレーンモードでのBD-Jオブジェクトの３Ｄ再生が可能であるかどうかを表す２プレーン能力フラグを記憶する記憶手段を備える再生装置を制御するコンピュータに、
前記記憶手段に記憶されている前記１プレーンオフセット能力フラグと前記２プレーン能力フラグとに基づいて、BD-Jオブジェクトの３Ｄ再生時の再生モードを設定する設定ステップ
を含む処理を実行させるためのプログラム。
【請求項７】
請求項６に記載のプログラムが記録されている記録媒体。
【発明の詳細な説明】
【技術分野】
【０００１】
本発明は、再生装置、再生方法、プログラム、および記録媒体に関し、特に、再生装置の能力に応じた３Ｄ再生を行うことができるようにした再生装置、再生方法、プログラム、および記録媒体に関する。
【背景技術】
【０００２】
BD（Blu-Ray（登録商標） Disc）では、BD-J（BD Java（登録商標））を扱うことが可能であり、BD-Jによって、高度なインタラクティブ機能を提供することができる（例えば、特許文献１参照）。
【０００３】
また、BD-ROMを再生するＢＤプレーヤは、BD-ROMの再生に関する情報を記憶するPSR（Player Setting Register）を有している。
【０００４】
図１に示すように、PSRのうちのPSR24のb5には、BD-J Capability during Stereoscopic Output Modeというフラグ（以下、BD-J能力フラグという）が記憶される。このBD-J能力フラグは、BD-Jオブジェクト実行時に３Ｄ再生を行うことができるかどうかを表すフラグである。
【０００５】
また、BD-ROMには、図２のシンタックスを含むプログラムが記録されており、ＢＤプレーヤは、そのプログラムにしたがって、PSR24（PSR_3D_CAPABILITY）の値が、「0x20」であるかどうか、即ちBD-J能力フラグが1であるかどうかを判定する。そして、ＢＤプレーヤは、そのBD-J能力フラグに応じた再生処理を行う。
【０００６】
一方、BD-ROMで採用されている３Ｄ再生時の再生モードには、１プレーンオフセットモード（1plane+offset presentation type）と、２プレーンモード（Stereoscopic (two planes) presentation type）という２種類のモードがある。１プレーンオフセットモードとは、BD-ROMに記録されている画像を水平方向にシフトすることにより得られる２枚の画像のうちの一方を左目用の画像とし、他方を右目用の画像として出力する１プレーンオフセット３Ｄ再生を行うモードである。２プレーンモードとは、BD-ROMに記録されている左目用の画像と右目用の画像をそのまま出力する２プレーン３Ｄ再生を行うモードである。
【先行技術文献】
【特許文献】
【０００７】
【特許文献１】国際公開第2005/052940号
【発明の概要】
【発明が解決しようとする課題】
【０００８】
以上のように、BD-ROMで採用されている３Ｄ再生時の再生モードは、２種類存在するが、BD-J能力フラグは、BD-Jオブジェクト実行時に３Ｄ再生を行うことができるかどうかを表している。
【０００９】
従って、BD-Jオブジェクト実行時に１プレーンオフセットモードでの３Ｄ再生または２プレーンモードでの３Ｄ再生のいずれか一方のみ行うことが可能なＢＤプレーヤでは、BD-J能力フラグによりＢＤプレーヤの３Ｄ再生の能力を正確に表すことはできない。よって、ＢＤプレーヤの能力に応じた３Ｄ再生を行うことは困難である。
【００１０】
その結果、ＢＤプレーヤの製造者は、BD-Jオブジェクト実行時に１プレーンオフセットモードおよび２プレーンモードの両方の再生モードで３Ｄ再生を行うことが可能なＢＤプレーヤ、または、いずれの再生モードであっても３Ｄ再生を行うことができないプレーヤしか製造することができなかった。
【００１１】
本発明は、このような状況に鑑みてなされたものであり、再生装置の能力に応じた３Ｄ再生を行うことができるようにするものである。
【課題を解決するための手段】
【００１２】
本発明の一側面の再生装置は、ディスクに記録されている画像を水平方向にシフトすることにより得られる２枚の画像のうちの一方を左目用の画像とし、他方を右目用の画像として出力するモードである１プレーンオフセットモードでのBD-Jオブジェクトの３Ｄ再生が可能であるかどうかを表す１プレーンオフセット能力フラグと、ディスクに記録されている左目用の画像と右目用の画像をそのまま出力するモードである２プレーンモードでのBD-Jオブジェクトの３Ｄ再生が可能であるかどうかを表す２プレーン能力フラグを記憶する記憶手段と、前記記憶手段に記憶されている前記１プレーンオフセット能力フラグと前記２プレーン能力フラグとに基づいて、BD-Jオブジェクトの３Ｄ再生時の再生モードを設定する設定手段とを備える再生装置である。
【００１３】
本発明の一側面の再生方法、プログラム、および記録媒体に記録されているプログラムは、本発明の一側面の再生装置に対応する。
【００１４】
本発明の一側面においては、記憶手段に記憶されている、ディスクに記録されている画像を水平方向にシフトすることにより得られる２枚の画像のうちの一方を左目用の画像とし、他方を右目用の画像として出力するモードである１プレーンオフセットモードでのBD-Jオブジェクトの３Ｄ再生が可能であるかどうかを表す１プレーンオフセット能力フラグと、ディスクに記録されている左目用の画像と右目用の画像をそのまま出力するモードである２プレーンモードでのBD-Jオブジェクトの３Ｄ再生が可能であるかどうかを表す２プレーン能力フラグとに基づいて、BD-Jオブジェクトの３Ｄ再生時の再生モードが設定される。
【発明の効果】
【００１５】
本発明の一側面によれば、再生装置の能力に応じた３Ｄ再生を行うことができる。
【図面の簡単な説明】
【００１６】
【図１】従来のPSR24に記憶されている情報の一例を示す図である。
【図２】従来のプログラムのシンタックスの一例を示す図である。
【図３】本発明を適用した再生装置の一実施の形態の構成例を示すブロック図である。
【図４】PSRに記憶される情報の第１の構成例を示す図である。
【図５】PSRに記憶される情報の第２の構成例を示す図である。
【図６】PSRに記憶される情報の第３の構成例を示す図である。
【図７】再生装置の能力とフラグとの関係の第１の例を示す図である。
【図８】再生装置の能力とフラグとの関係の第２の例を示す図である。
【図９】再生装置の能力とフラグとの関係の第３の例を示す図である。
【図１０】再生装置の能力とフラグとの関係の第４の例を示す図である。
【図１１】３Ｄ再生モード設定処理を説明するフローチャートである。
【図１２】再生装置が図４のPSRを有する場合のシンタックスの例を示す図である。
【図１３】再生装置が図４のPSRを有する場合のシンタックスの例を示す他の図である。
【図１４】再生装置が図５のPSRを有する場合のシンタックスの例を示す図である。
【図１５】再生装置が図５のPSRを有する場合のシンタックスの例を示す他の図である。
【図１６】再生装置が図６のPSRを有する場合のシンタックスの例を示す図である。
【図１７】再生装置が図４のPSRを有する場合の他のシンタックスの例を示す図である。
【図１８】再生装置が図５のPSRを有する場合の他のシンタックスの例を示す図である。
【図１９】再生装置が図６のPSRを有する場合の他のシンタックスの例を示す図である。
【発明を実施するための形態】
【００１７】
＜一実施の形態＞
［再生装置の一実施の形態の構成例］
図３は、本発明を適用した再生装置の一実施の形態の構成例を示すブロック図である。
【００１８】
図３の再生装置２０は、入力部２１、制御部２２、再生部２３、記憶部２４、通信部２５、およびドライブ２６により構成される。再生装置２０は、BD-ROMなどのディスク１１に対する２Ｄ再生機能および１プレーンオフセットモードでの３Ｄ再生機能を有している。
【００１９】
具体的には、入力部２１は、キーボード、マウス、マイクロフォンなどよりなる。入力部２１は、ユーザからの指令を受け付け、制御部２２に供給する。制御部２２は、CPU（Central Processing Unit）などにより構成される。制御部２２は、所定のプログラムを実行することにより、入力部２１からの指令に応じて再生部２３を制御する。例えば、制御部２２は、入力部２１からのディスク１１の再生の指令に応じて、ドライブ３１を制御し、ディスク１１に記録されている各種のファイルを読み出す。また、制御部２２は、ディスク１１から読み出されたファイルに含まれるナビゲーションコマンドやアプリケーションにしたがって再生部２３を制御する。
【００２０】
再生部２３は、ドライブ３１、読み出しバッファ３２、ＰＩＤフィルタ３３、ビデオ生成部３４、グラフィックス生成部３５、表示データ生成部３６、およびオーディオ生成部３７により構成される。
【００２１】
ドライブ３１は、制御部２２の制御にしたがって、装着されたディスク１１を駆動する。これにより、ドライブ３１は、ディスク１１に記録されているインデックスファイル、ムービーオブジェクトファイル、BD-Jオブジェクトファイル、プレイリストファイル、ストリームファイルなどを読み出す。
【００２２】
インデックスファイルとは、ディスク１１に記録されているタイトル番号の一覧と、そのタイトル番号に対応して実行されるオブジェクトの種類および番号が記述される。オブジェクトの種類としては、ムービーオブジェクト（Movie Object）とBD-Jオブジェクト（BD-J Object）の２種類がある。ムービーオブジェクトファイルとは、ナビゲーションコマンドが記述されるムービーオブジェクトのファイルである。BD-Jオブジェクトファイルとは、BD-Jアプリケーションが記述されるBD-Jオブジェクトのファイルである。
【００２３】
プレイリストファイルとは、ムービーオブジェクトまたはBD-Jオブジェクトによってのみ読み出されるファイルであり、これらのオブジェクトで再生されるＡＶストリームに関する情報が記述される。ストリームファイルは、ＡＶストリームのファイルである。
【００２４】
なお、本実施の形態では、ＡＶストリームは、MPEG2,MPEG-4 AVC(Advanced Video Coding),VC1などに準拠して符号化され、ISO13818-2に準拠して多重化された、映画などの主画像を表示するための左目用のビデオデータおよび右目用のビデオデータ、並びに、それに対応するオーディオデータ、副画像としての字幕を表示するための字幕データ、および、副画像としてのメニューボタンを表示するためのメニューデータのＴＳ（Transport Stream）パケットにより構成される。
【００２５】
ドライブ３１は、読み出されたインデックスファイル、ムービーオブジェクトファイル、BD-Jオブジェクトファイル、プレイリストファイルなどを制御部２２に供給する。また、ドライブ３１は、読み出されたストリームファイルとしてのＡＶストリームを読み出しバッファ３２に供給する。
【００２６】
読み出しバッファ３２は、制御部２２の制御にしたがって、ドライブ３１から供給されるＡＶストリームを保持したり、保持しているＡＶストリームを読み出してＰＩＤフィルタ３３に供給したりする。
【００２７】
ＰＩＤフィルタ３３は、読み出しバッファ３２からのＡＶストリームの各パケットのパケットＩＤ（ＰＩＤ）に基づいて、そのＡＶストリームに含まれる左目用のビデオデータ、右目用のビデオデータ、字幕データ、メニューデータ、およびオーディオデータのパケットをそれぞれ抽出する。なお、ＰＩＤとは、パケットを構成するデータの種類ごとに固有のＩＤであり、パケットに付加されている。
【００２８】
ＰＩＤフィルタ３３は、抽出された左目用のビデオデータ、右目用のビデオデータ、字幕データ、メニューデータ、オーディオデータのパケットから、それぞれ、PES(Packetized Elementary Stream)パケットを抽出する。そして、ＰＩＤフィルタ３３は、ビデオデータのPESパケットをビデオ生成部３４に供給し、字幕データおよびメニューデータのPESパケットをグラフィックス生成部３５に供給する。また、ＰＩＤフィルタ３３は、オーディオデータのPESパケットをオーディオ生成部３７に供給する。
【００２９】
ビデオ生成部３４は、ＰＩＤフィルタ３３から供給される左目用のビデオデータと右目用のビデオデータのPESパケットを復号し、その結果得られる左目用のビデオデータと右目用のビデオデータを表示データ生成部３６に供給する。なお、ＰＩＤフィルタ３３から供給される左目用のビデオデータと右目用のビデオデータは同一である。
【００３０】
グラフィックス生成部３５は、字幕生成部４１とメニュー生成部４２により構成される。字幕生成部４１は、ＰＩＤフィルタ３３から供給される字幕データのPESパケットを用いて字幕データを生成し、表示データ生成部３６に供給する。
【００３１】
メニュー生成部４２は、ムービーオブジェクトの実行中には、ＰＩＤフィルタ３３から供給されるメニューデータのPESパケットを用いてメニューデータを生成する。一方、メニュー生成部４２は、BD-Jオブジェクトの実行中には、メニューデータのPESパケットを無視し、制御部２２からの制御にしたがってメニューデータを生成する。そして、メニュー生成部４２は、生成されたメニューデータを表示データ生成部３６に供給する。
【００３２】
表示データ生成部３６は、ビデオ生成部３４から供給される左目用のビデオデータおよび右目用のビデオデータ、並びに、グラフィックス生成部３５から供給される字幕データおよびメニューデータから、左目用の表示データと右目用の表示データを生成する。
【００３３】
具体的には、表示データ生成部３６は、２Ｄ再生を行う場合、ビデオ生成部３４から供給される左目用のビデオデータまたは右目用のビデオデータのいずれか一方、字幕生成部４１から供給される字幕データ、およびメニュー生成部４２から供給されるメニューデータを合成する。そして、表示データ生成部３６は、合成の結果得られるビデオデータを左目用のビデオデータおよび右目用のビデオデータとする。
【００３４】
また、表示データ生成部３６は、１プレーンオフセットモードで３Ｄ再生を行う場合、ビデオ生成部３４から供給される左目用のビデオデータを、所定のオフセット値だけ左右方向のいずれか一方向にシフトさせ、右目用のビデオデータを他方向にシフトさせる。また、表示データ生成部３６は、字幕生成部４１から供給される字幕データを、所定のオフセット値だけ左右方向のいずれか一方向にシフトさせて左目用の字幕データとし、他方向にシフトさせて右目用の字幕データとする。表示データ生成部３６は、字幕データと同様に、メニューデータから左目用のメニューデータと右目用のメニューデータを生成する。そして、表示データ生成部３６は、生成された左目用のビデオデータ、字幕データ、およびメニューデータを合成し、左目用の表示データを生成する。また、表示データ生成部３６は、生成された右目用のビデオデータ、字幕データ、およびメニューデータを合成し、右目用の表示データを生成する。
【００３５】
表示データ生成部３６は、以上のようにして得られる左目用の表示データと右目用の表示データを３Ｄ表示データとして表示部５１に供給する。
【００３６】
オーディオ生成部３７は、ＰＩＤフィルタ３３から供給されるオーディオデータのPESパケットを復号し、その結果得られるオーディオデータをスピーカ５２に供給する。
【００３７】
表示部５１は、３Ｄディスプレイなどにより構成される。表示部５１は、表示データ生成部３６から供給される３Ｄ表示データに基づいて出力を行う。その結果として、ユーザは、３Ｄ画像を見ることができる。
【００３８】
スピーカ５２は、オーディオ生成部３７から供給されるオーディオデータに対応する音声を出力する。
【００３９】
記憶部２４（記憶手段）は、ROM（Read Only Memory）、RAM（Random Access Memory）、ハードディスクなどにより構成され、記憶部２４の一部はPSRを構成する。記憶部２４は、再生に関する情報、制御部２２により実行されるプログラム、制御部２２による処理によって生成される情報などを記憶する。通信部２５は、ネットワークカード等で構成される。
【００４０】
なお、制御部２２により実行されるプログラムは、記憶部２４のROMに記憶されるようにすることもできるし、記憶部２４のハードディスクやドライブ２６に装着されるリムーバブルメディア５３に記録され、記憶部２４のRAMにロードされることにより実行されるようにすることもできる。
【００４１】
リムーバブルメディア５３としては、例えば、フレキシブルディスク、CD-ROM(Compact Disc Read Only Memory)，MO(Magneto Optical)ディスク，DVD(Digital Versatile Disc)、磁気ディスク、半導体メモリ等がある。
【００４２】
また、制御部２２により実行されるプログラムは、上述したようなリムーバブルメディア５３から再生装置２０にインストールする他、通信網や放送網を介して、再生装置２０にダウンロードし、記憶部２４のハードディスクにインストールすることができる。すなわち、プログラムは、例えば、ダウンロードサイトから、ディジタル衛星放送用の人工衛星を介して再生装置２０に無線で転送したり、LAN(Local Area Network)、インターネットといったネットワークを介して、再生装置２０に有線で転送することができる。
【００４３】
［PSRに記憶される情報の構成例］
図４は、PSRに記憶される情報の第１の構成例を示す図である。
【００４４】
図４の例では、PSRのうちのPSR24のb7に、BD-J Capability during 1plane+offset presentationという、BD-Jオブジェクト実行時に１プレーンオフセットモードでの３Ｄ再生が可能であるかどうかを表すフラグ（以下、１プレーンオフセット能力フラグという）が記憶される。また、PSR24のb5に、従来のBD-J能力フラグに代えて、BD-J Capability during Stereoscopic presentationという、BD-Jオブジェクト実行時に２プレーンモードでの３Ｄ再生が可能であるかどうかを表すフラグ（以下、２プレーン能力フラグという）が記憶される。
【００４５】
図５は、PSRに記憶される情報の第２の構成例を示す図である。
【００４６】
図５の例では、PSRのうちのPSR24のb7に１プレーンオフセット能力フラグが記憶され、PSR24のb8に２プレーン能力フラグが記憶される。なお、PSRのうちのb5には、従来通りBD-J能力フラグが記憶される。
【００４７】
図６は、PSRに記憶される情報の第３の構成例を示す図である。
【００４８】
図６の例では、図４の場合と同様に、PSRのうちのPSR24のb5に、従来のBD-J能力フラグに代えて、２プレーン能力フラグが記憶される。また、PSRXX（XXは24以外の任意の値）のb0に１プレーンオフセット能力フラグが記憶される。
【００４９】
以上のように、再生装置２０では、PSRにおいて、１プレーンオフセット能力フラグと２プレーン能力フラグが記憶されるので、再生装置２０は、自分自身の３Ｄ再生の能力を正確に認識することができる。
【００５０】
具体的には、再生装置２０は、２Ｄ再生機能および１プレーンオフセットモードでの３Ｄ再生機能を有しているので、１プレーンオフセット能力フラグとして、３Ｄ再生が可能であることを表す1を記憶し、２プレーン能力フラグとして、３Ｄ再生が可能ではないことを表す0を記憶する。従って、再生装置２０は、１プレーンオフセット能力フラグと２プレーン能力フラグとに基づいて、自分自身の３Ｄ再生の能力が１プレーンオフセットモードでのみ３Ｄ再生を行うことが可能な能力であることを認識することができる。
【００５１】
［再生装置の能力とフラグの関係］
図７乃至図１０は、ディスク１１を再生する再生装置の能力と１プレーンオフセット能力フラグおよび２プレーン能力フラグとの関係の例を示す図である。
【００５２】
図７に示すように、ビデオデータ、字幕データ、およびメニューデータの全てに対して、２Ｄ再生、１プレーンオフセット３Ｄ再生、および２プレーン３Ｄ再生を行うことが可能な再生装置では、ディスク１１に対して、２Ｄ再生、１プレーンオフセットモードでの３Ｄ再生、および２プレーンモードでの３Ｄ再生を行うことができる。従って、このような再生装置のPSRには、１プレーンオフセット能力フラグおよび２プレーン能力フラグとして、３Ｄ再生が可能であることを表す1が記憶される。
【００５３】
また、図８に示すように、ビデオデータ、字幕データ、およびメニューデータの全てに対して、２Ｄ再生と１プレーンオフセット３Ｄ再生を行うことができるが、ビデオデータ以外の字幕データとメニューデータに対しては、２プレーン３Ｄ再生を行うことができない図３の再生装置２０のような再生装置では、ディスク１１に対して、２Ｄ再生と１プレーンオフセットモードでの３Ｄ再生のみ行うことができる。従って、このような再生装置のPSRには、１プレーンオフセット能力フラグとして1が記憶され、２プレーン能力フラグとして0が記憶される。
【００５４】
さらに、図９に示すように、ビデオデータ、字幕データ、およびメニューデータの全てに対して、２Ｄ再生と２プレーン３Ｄ再生を行うことができるが、ビデオデータ以外の字幕データとメニューデータに対しては、１プレーンオフセット３Ｄ再生を行うことができない再生装置では、ディスク１１に対して、２Ｄ再生と２プレーンモードでの３Ｄ再生のみ行うことができる。従って、このような再生装置のPSRには、１プレーンオフセット能力フラグとして0が記憶され、２プレーン能力フラグとして1が記憶される。
【００５５】
また、図１０に示すように、ビデオデータ、字幕データ、およびメニューデータの全てに対して、２Ｄ再生を行うことができるが、１プレーンオフセット３Ｄ再生および２プレーン３Ｄ再生を行うことができない再生装置では、ディスク１１に対して、２Ｄ再生のみ行うことができる。従って、このような再生装置のPSRには、１プレーンオフセット能力フラグおよび２プレーン能力フラグとして0が記憶される。
【００５６】
［再生装置の処理の説明］
図１１は、図３の再生装置２０による３Ｄ再生モード設定処理を説明するフローチャートである。この３Ｄ再生モード設定処理は、例えば、ディスク１１がドライブ３１に装着され、制御部２２がBD-Jオブジェクトを実行することによりディスク１１を３Ｄ再生するときに、BD-Jオブジェクトまたはムービーオブジェクトを実行することにより行われる。
【００５７】
図１１のステップＳ１１において、制御部２２は、２プレーンモードでの３Ｄ再生が可能であるかどうかを判定する。
【００５８】
具体的には、再生装置２０が図４に示したPSRを有する場合、制御部２２は、例えば、図１２のシンタックスが記述されたオブジェクトを実行することにより、PSR24に記憶されている情報が「0xA0」であるかどうか、即ちb7とb5に1が記憶されているかどうかを判定する。そして、PSR24に記憶されている情報が「0xA0」である場合、制御部２２は、２プレーンモードでの３Ｄ再生が可能であると判定する。また、制御部２２は、例えば、図１３のシンタックスが記述されたオブジェクトを実行することにより、PSR24に記憶されている情報が「0x20」であるかどうか、即ちb5に1が記憶されているかどうかを判定する。そして、PSR24に記憶されている情報が「0x20」である場合、制御部２２は、２プレーンモードでの３Ｄ再生が可能であると判定する。一方、PSR24に記憶されている情報が「0xA0」および「0x20」ではない場合、制御部２２は、２プレーンモードでの３Ｄ再生が可能ではないと判定する。
【００５９】
また、再生装置２０が図５に示したPSRを有する場合、制御部２２は、例えば、図１４のシンタックスが記述されたオブジェクトを実行することにより、PSR24に記憶されている情報が「0x1A0」であるかどうか、即ちb8,b7、およびb5に1が記憶されているかどうかを判定する。そして、PSR24に記憶されている情報が「0x1A0」である場合、制御部２２は、２プレーンモードでの３Ｄ再生が可能であると判定する。また、制御部２２は、例えば、図１５のシンタックスが記述されたオブジェクトを実行することにより、PSR24に記憶されている情報が「0x120」であるかどうか、即ちb8とb5に1が記憶されているかどうかを判定する。そして、PSR24に記憶されている情報が「0x120」である場合、制御部２２は、２プレーンモードでの３Ｄ再生が可能であると判定する。一方、PSR24に記憶されている情報が「0x1A0」および「0x120」ではない場合、制御部２２は、２プレーンモードでの３Ｄ再生が可能ではないと判定する。
【００６０】
さらに、再生装置２０が図６に示したPSRを有する場合、制御部２２は、例えば、図１６のシンタックスが記述されたオブジェクトを実行することにより、PSR24に記憶されている情報が「0x20」であるかどうか、即ちb5に1が記憶されているかどうかを判定する。そして、PSR24に記憶されている情報が「0x20」である場合、制御部２２は、２プレーンモードでの３Ｄ再生が可能であると判定する。一方、PSR24に記憶されている情報が「0x20」ではない場合、制御部２２は、２プレーンモードでの３Ｄ再生が可能ではないと判定する。
【００６１】
ステップＳ１１で２プレーンモードでの３Ｄ再生が可能であると判定された場合、ステップＳ１２において、制御部２２（設定手段）は、再生モードを２プレーンモードに設定し、処理を終了する。
【００６２】
一方、ステップＳ１１で２プレーンモードでの３Ｄ再生が可能ではないと判定された場合、ステップＳ１３において、制御部２２は、１プレーンオフセットモードでの３Ｄ再生が可能であるかどうかを判定する。
【００６３】
具体的には、再生装置２０が図４に示したPSRを有する場合、制御部２２は、例えば、図１７のシンタックスが記述されたオブジェクトを実行することにより、PSR24に記憶されている情報が「0x80」であるかどうか、即ちb7に1が記憶されているかどうかを判定する。そして、PSR24に記憶されている情報が「0x80」である場合、制御部２２は、１プレーンオフセットモードでの３Ｄ再生が可能であると判定する。一方、PSR24に記憶されている情報が「0x80」ではない場合、制御部２２は、１プレーンオフセットモードでの３Ｄ再生が可能ではないと判定する。
【００６４】
また、再生装置２０が図５に示したPSRを有する場合、制御部２２は、例えば、図１８のシンタックスが記述されたオブジェクトを実行することにより、PSR24に記憶されている情報が「0xA0」であるかどうか、即ちb7とb5に1が記憶されているかどうかを判定する。そして、PSR24に記憶されている情報が「0xA0」である場合、制御部２２は、１プレーンオフセットモードでの３Ｄ再生が可能であると判定する。一方、PSR24に記憶されている情報が「0xA0」ではない場合、制御部２２は、１プレーンオフセットモードでの３Ｄ再生が可能ではないと判定する。
【００６５】
さらに、再生装置２０が図６に示したPSRを有する場合、制御部２２は、例えば、図１９のシンタックスが記述されたオブジェクトを実行することにより、PSRXXに記憶されている情報が「0x01」であるかどうか、即ちb0に1が記憶されているかどうかを判定する。そして、PSRXXに記憶されている情報が「0x01」である場合、制御部２２は、１プレーンオフセットモードでの３Ｄ再生が可能であると判定する。一方、PSRXXに記憶されている情報が「0x01」ではない場合、制御部２２は、１プレーンオフセットモードでの３Ｄ再生が可能ではないと判定する。
【００６６】
ステップＳ１３で１プレーンオフセットモードでの３Ｄ再生が可能であると判定された場合、ステップＳ１４において、制御部２２は、再生モードを１プレーンオフセットモードに設定し、処理を終了する。
【００６７】
一方、ステップＳ１３で１プレーンオフセットモードでの３Ｄ再生が可能ではないと判定された場合、ステップＳ１５において、制御部２２は、再生モードを、２Ｄ再生を行う２Ｄモードに設定する。そして、処理は終了する。
【００６８】
以上のようにして再生モードが設定された後、制御部２２は、BD-Jオブジェトを実行することにより、再生部２３を制御し、設定された再生モードでの再生を行う。具体的には、再生装置２０の１プレーンオフセット能力フラグは1であり、２プレーン能力フラグは0であるので、制御部２２は、再生モードを１プレーンオフセットモードに設定し、１プレーンオフセットモードで３Ｄ再生を行う。
【００６９】
以上のように、再生装置２０は、１プレーンオフセット能力フラグと２プレーン能力フラグをPSRに記憶し、１プレーンオフセット能力フラグと２プレーン能力フラグとに基づいて３Ｄ再生時の再生モードを設定する。従って、再生装置２０は、再生装置２０の能力に応じた１プレーンオフセットモードでの３Ｄ再生を行うことができる。
【００７０】
なお、本実施の形態では、再生装置が、２Ｄ再生機能および１プレーンオフセットモードでの３Ｄ再生機能を有したが、本発明は、２Ｄ再生機能および２プレーンモードでの３Ｄ再生機能を有する再生装置や、２Ｄ再生機能、１プレーンオフセットモードでの３Ｄ再生機能、および２プレーンモードでの３Ｄ再生機能を有する再生装置にも適用することができる。
【００７１】
そして、これらの再生装置においても、再生装置２０と同様に、再生装置の能力に応じた３Ｄ再生を行うことができる。その結果、ディスク１１を再生する再生装置の製造者は、BD-Jオブジェクト実行時に１プレーンオフセットモードでのみ３Ｄ再生が可能である再生装置や、２プレーンモードでのみ３Ｄ再生が可能である再生装置を製造することができる。
【００７２】
なお、上述した説明では、ＡＶストリームは、符号化された左目用のビデオデータおよび右目用のビデオデータ、並びに、それに対応するオーディオデータ、字幕データ、およびメニューデータが多重化されることにより構成されたが、ＡＶストリームは、符号化された左目用のビデオデータ、右目用のビデオデータ、オーディオデータ、字幕データ、およびメニューデータだけでなく、主画像の背景画像のデータである背景データが多重化されることにより構成されるようにしてもよい。
【００７３】
本明細書において、プログラム記録媒体に格納されるプログラムを記述するステップは、記載された順序に沿って時系列的に行われる処理はもちろん、必ずしも時系列的に処理されなくとも、並列的あるいは個別に実行される処理をも含むものである。
【００７４】
また、本発明の実施の形態は、上述した実施の形態に限定されるものではなく、本発明の要旨を逸脱しない範囲において種々の変更が可能である。
【符号の説明】
【００７５】
２０  再生装置,  ２２  制御部,  ２４  記憶部
【図１】
0005594045.tif 000002
【図２】
0005594045.tif 000003
【図３】
0005594045.tif 000004
【図４】
0005594045.tif 000005
【図５】
0005594045.tif 000006
【図６】
0005594045.tif 000007
【図７】
0005594045.tif 000008
【図８】
0005594045.tif 000009
【図９】
0005594045.tif 000010
【図１０】
0005594045.tif 000011
【図１１】
0005594045.tif 000012
【図１２】
0005594045.tif 000013
【図１３】
0005594045.tif 000014
【図１４】
0005594045.tif 000015
【図１５】
0005594045.tif 000016
【図１６】
0005594045.tif 000017
【図１７】
0005594045.tif 000018
【図１８】
0005594045.tif 000019
【図１９】
0005594045.tif 000020